(57)【要約】【課題】広域ネットワークに設定されたパスにおいて円滑な通信を可能とするネットワーク構成装置を得ること。【解決手段】ＬＡＮ回線を収容するＬＡＮインタフェース収容部２０−Ｎと、広域ネットワーク回線を収容する広域ネットワークインタフェース収容部２１と、加入者装置と広域ネットワークとの間でパケットを中継する中継部２２と、制御ネットワーク回線を収容する制御部２３とを備え、制御部２３は、自装置がパスの一端である場合に、自装置と自装置が接続する加入者装置との間で整合させたＬＡＮ属性を他端のネットワーク構成装置へ送信し、他端のネットワーク構成装置から同様にＬＡＮ属性を受信すると、ＬＡＮ属性同士を比較し、低位のＬＡＮ属性に合わせるように自装置のＬＡＮ属性を整合させる。【選択図】        図２
2010136008.tif 000002
【特許請求の範囲】
【請求項１】
複数の加入者装置を接続可能な広域ネットワークを構成し、当該広域ネットワーク上に設定されたパスを介してパケットの送受信を実行可能なネットワーク構成装置であって、
前記加入者装置と接続するためのＬＡＮ（Local  Area  Network）回線を収容するＬＡＮインタフェース収容手段と、
前記広域ネットワークと接続するための広域ネットワーク回線を収容する広域ネットワークインタフェース収容手段と、
前記ＬＡＮインタフェース収容手段および前記広域ネットワークインタフェース収容手段を用いて、前記加入者装置と前記広域ネットワークとの間でパケットを中継する中継手段と、
所定のシグナリングプロトコルによる制御情報を転送するための制御ネットワーク回線を収容し、ネットワーク構成装置間でＬＡＮ属性を整合させるための処理を行う制御手段と、
を備え、
前記制御手段は、
自装置が前記パスのいずれか一方の端である場合に、
自装置が接続する加入者装置のＬＡＮ属性情報を、前記ＬＡＮ回線を介して検知すると、自装置および当該加入者装置のＬＡＮ属性情報を整合させて第１のＬＡＮ属性情報とし、当該第１のＬＡＮ属性情報を、前記制御ネットワーク回線を介して他端のネットワーク構成装置へ送信し、
前記他端のネットワーク構成装置と当該他端のネットワーク構成装置が収容する加入者装置との間で整合させた第２のＬＡＮ属性情報を、前記制御ネットワーク回線を介して受信すると、当該第２のＬＡＮ属性情報と前記第１のＬＡＮ属性情報とを比較し、低位のＬＡＮ属性情報に合わせるように自装置のＬＡＮ属性情報を整合させる、
ことを特徴とするネットワーク構成装置。
【請求項２】
複数のネットワーク構成装置と当該ネットワーク構成装置を管理する管理装置とを備え、複数の加入者装置を接続可能な広域ネットワークにおいて、当該広域ネットワーク上に設定されたパスを介してパケットの送受信を実行可能な前記ネットワーク構成装置であって、
前記管理装置が、前記パスの両端のネットワーク構成装置からＬＡＮ属性情報を受信し、当該パスの両端のＬＡＮ属性情報を比較し、ＬＡＮ属性情報が整合していないと判断した場合に、高位のＬＡＮ属性情報を送信したネットワーク構成装置に対し、前記パスの他端のネットワーク構成装置から送信された低位のＬＡＮ属性情報に合わせてＬＡＮ属性情報を再設定する旨を指示する場合において、
前記加入者装置と接続するためのＬＡＮ回線を収容するＬＡＮインタフェース収容手段と、
前記広域ネットワークと接続するための広域ネットワーク回線を収容する広域ネットワークインタフェース収容手段と、
前記ＬＡＮインタフェース収容手段および前記広域ネットワークインタフェース収容手段を用いて、前記加入者装置と前記広域ネットワークとの間でパケットを中継する中継手段と、
前記管理装置との間で制御情報を転送するための制御ネットワーク回線を収容し、ネットワーク構成装置間でＬＡＮ属性を整合させるための処理を行う制御手段と、
を備え、
前記制御手段は、
自装置が前記パスのいずれか一方の端である場合に、
自装置が接続する加入者装置のＬＡＮ属性情報を、前記ＬＡＮ回線を介して検知すると、自装置および当該加入者装置のＬＡＮ属性情報を整合させて第１のＬＡＮ属性情報とし、当該第１のＬＡＮ属性情報を、前記制御ネットワーク回線を介して前記管理装置へ送信し、
前記管理装置から、前記制御ネットワーク回線を介して他端のネットワーク構成装置の第２のＬＡＮ属性情報およびＬＡＮ属性情報を再設定すべき旨の指示を受信した場合に、当該第２のＬＡＮ属性情報に合わせて自装置のＬＡＮ属性情報を設定する、
ことを特徴とするネットワーク構成装置。
【請求項３】
前記ＬＡＮ属性情報には、ＩＥＥＥ  ８０２．３ａｂに規定されるオートネゴシエーションにおける属性情報が含まれることを特徴とする請求項１または２に記載のネットワーク構成装置。
【請求項４】
前記ＬＡＮ属性情報には、ＩＥＥＥ  ８０２．１ＡＢに規定されるＬＬＤＰ（Link  Layer  Discovery  Protocol）の属性情報が含まれることを特徴とする請求項１、２または３に記載のネットワーク構成装置。
【請求項５】
前記ＬＡＮ属性情報には、ＩＥＥＥ  ８０２．１に規定されるイーサネット（登録商標）フレーム優先度に基づく優先制御に対応しているかどうかの属性情報が含まれることを特徴とする請求項１〜４のいずれか１つに記載のネットワーク構成装置。
【請求項６】
前記ＬＡＮ属性情報には、ＩＥＥＥ  ８０２．３ａｚにおいて標準化が検討されている電力節約手順を使用しているかどうかの属性情報、および当該電力節約手順を使用している場合には電力の現在の状態を示す属性情報、が含まれることを特徴とする請求項１〜５のいずれか１つに記載のネットワーク構成装置。
【請求項７】
前記制御手段は、ＩＥＴＦ  ＲＦＣ  ３２０９に規定されるＲＳＶＰ−ＴＥ（RSVP  Traffic  Engineering）を拡張したシグナリングプロトコルによって、前記ＬＡＮ属性情報を送信することを特徴とする請求項１〜６のいずれか１つに記載のネットワーク構成装置。
【請求項８】
複数のネットワーク構成装置により構築され、ネットワーク構成装置間に設定されたパスを介してパケットの送受信を実行可能で、かつ、複数の加入者装置を接続可能な広域ネットワークにおいて、前記ネットワーク構成装置を管理する管理装置であって、
前記広域ネットワークとの間のインタフェースであって、前記パスの両端のネットワーク構成装置からＬＡＮ属性情報を受信する通信Ｉ／Ｆ手段と、
前記パスの両端のＬＡＮ属性情報を比較し、ＬＡＮ属性情報が整合していないと判断した場合は、前記通信Ｉ／Ｆ手段を介して、高位のＬＡＮ属性情報を送信したネットワーク構成装置に対し、前記パスの他端のネットワーク構成装置から送信された低位のＬＡＮ属性情報に合わせてＬＡＮ属性情報を再設定する旨を指示する制御手段と、
を備えることを特徴とする管理装置。
【請求項９】
請求項１〜７のいずれか１つに記載のネットワーク構成装置を複数備えた広域ネットワークと、
複数の加入者装置と、
を備えることを特徴とする通信ネットワーク。
【発明の詳細な説明】
【技術分野】
【０００１】
本発明は、広域ネットワークに接続されるネットワーク構成装置に関する。
【背景技術】
【０００２】
従来、イーサネット（登録商標）においては、ＩＥＥＥ  ８０２．３ａｂ（下記、非特許文献１参照）に規定されるオートネゴシエーション機能によって、端末とスイッチとの間で、全二重／半二重といったインタフェース属性や、伝送速度などの属性を整合させていた。
【０００３】
また、ＩＥＥＥ  ８０２．１ＡＢ（下記、非特許文献２参照）に規定されるＬＬＤＰ（Link  Layer  Discovery  Protocol）では、規定されたマルチキャストフレームを端末とスイッチ間で送受信することによって、オートネゴシエーション機能のイーサネット（登録商標）属性に含まれない属性情報を互いに通知し、下位の属性に両装置の属性を統一し、整合させることを可能にしている。
【０００４】
近年、広域ネットワークを介して、加入者のイーサネット（登録商標）装置（加入者装置：スイッチやルータに相当）間を相互接続する広域サービスや、当該サービスに対応した専用線などが、通信キャリアにより提供されている。広域サービスでは、加入者装置からのパケットに加入者を識別するヘッダ情報を追加し、広域イーサネット（登録商標）用スイッチを用いて広域ネットワーク内を中継することが主流であった。その後、加入者トラヒックの増大や、ＭＰＬＳ（Multi  Protocol  Label  Switching）技術，時分割多重技術，波長多重技術といった伝送技術の進展にともない、これらの技術によって広域ネットワーク上にパスを設定する広域ネットワーク構成装置を用い、広域ネットワーク上に設定されるパスを経由して加入者装置からのパケットを転送することも可能となった。広域ネットワーク構成装置間にパスを設定する方法としては、広域ネットワークの管理装置から広域ネットワーク構成装置に対して設定する方法と、広域ネットワーク構成装置間でシグナリングプロトコルを用いて設定する方法とが知られる（たとえば、下記特許文献１）。
【０００５】
【非特許文献１】IEEE  802.3ab，1000BASE-T，1999年
【非特許文献２】IEEE  802.1AB-2005，Station  and  Media  Access  Control-Connectivity  Discovery，2005年4月
【特許文献１】特開２００７−６７８１３号公報
【発明の開示】
【発明が解決しようとする課題】
【０００６】
しかしながら、上記従来の技術によれば、加入者装置からのパケットは、広域ネットワークではパスに収容されて中継されるが、必ずしも広域ネットワーク構成装置で終端されない。一方、ＩＥＥＥ  ８０２．３ａｂに規定されるオートネゴシエーションは、加入者装置と広域ネットワーク構成装置のインタフェースとの間で終端されるため、パスの両端となる広域ネットワーク構成装置のインタフェースの間では、オートネゴシエーション属性の整合結果は必ずしも一致しない。したがって、たとえば、第１のパス端点の広域ネットワーク構成装置と、第２のパス端点の広域ネットワーク構成装置とが、それぞれオートネゴシエーションを行った結果、異なるイーサネット（登録商標）属性（伝送速度など）を持ったとする。この場合、伝送速度が低い方の広域ネットワーク構成装置のインタフェースがボトルネックとなり、パケットの滞留ないし廃棄が発生しうる、という問題があった。すなわち、広域ネットワーク構成装置の間にパスを設定する場合、リソースの使用に無駄が生じ、円滑な通信が妨げられる、という問題があった。
【０００７】
また、ＩＥＥＥ  ８０２．１ＡＢに規定されるＬＬＤＰによって通知されるイーサネット（登録商標）属性についても、第１のパス端点の広域ネットワーク構成装置と第２のパス端点の広域ネットワーク構成装置とで、加入者装置との間の属性が異なる場合があるため、同様の問題があった。
【０００８】
本発明は、上記に鑑みてなされたものであって、広域ネットワーク上に設定されたパスにおいて円滑な通信を実行可能なネットワーク構成装置を得ることを目的とする。
【課題を解決するための手段】
【０００９】
上述した課題を解決し、目的を達成するために、本発明は、複数の加入者装置を接続可能な広域ネットワークを構成し、当該広域ネットワーク上に設定されたパスを介してパケットの送受信を実行可能なネットワーク構成装置であって、前記加入者装置と接続するためのＬＡＮ（Local  Area  Network）回線を収容するＬＡＮインタフェース収容手段と、前記広域ネットワークと接続するための広域ネットワーク回線を収容する広域ネットワークインタフェース収容手段と、前記ＬＡＮインタフェース収容手段および前記広域ネットワークインタフェース収容手段を用いて、前記加入者装置と前記広域ネットワークとの間でパケットを中継する中継手段と、所定のシグナリングプロトコルによる制御情報を転送するための制御ネットワーク回線を収容し、ネットワーク構成装置間でＬＡＮ属性を整合させるための処理を行う制御手段と、を備え、前記制御手段は、自装置が前記パスのいずれか一方の端である場合に、自装置が接続する加入者装置のＬＡＮ属性情報を、前記ＬＡＮ回線を介して検知すると、自装置および当該加入者装置のＬＡＮ属性情報を整合させて第１のＬＡＮ属性情報とし、当該第１のＬＡＮ属性情報を、前記制御ネットワーク回線を介して他端のネットワーク構成装置へ送信し、前記他端のネットワーク構成装置と当該他端のネットワーク構成装置が収容する加入者装置との間で整合させた第２のＬＡＮ属性情報を、前記制御ネットワーク回線を介して受信すると、当該第２のＬＡＮ属性情報と前記第１のＬＡＮ属性情報とを比較し、低位のＬＡＮ属性情報に合わせるように自装置のＬＡＮ属性情報を整合させる、ことを特徴とする。
【発明の効果】
【００１０】
この発明によれば、広域ネットワーク上に設定されたパスにおいて円滑な通信が実行可能となる、という効果を奏する。
【発明を実施するための最良の形態】
【００１１】
以下に、本発明にかかる通信ネットワークの実施の形態を図面に基づいて詳細に説明する。なお、この実施の形態によりこの発明が限定されるものではない。
【００１２】
実施の形態１．
図１は、本実施の形態における通信ネットワークの構成例を示す図である。図１の通信ネットワークは、広域ネットワーク構成装置１および２と、加入者装置３および４と、ＬＡＮ回線５および６とを備える。広域ネットワーク構成装置１および２は、広域ネットワークを構成する装置であって、広域ネットワーク構成装置１は、ＬＡＮ回線５を介して加入者装置３を収容し、広域ネットワーク構成装置２は、ＬＡＮ回線６を介して加入者装置４を収容する。ＬＡＮ回線５および６は、たとえばイーサネット（登録商標）回線である。また、広域ネットワーク構成装置１と、広域ネットワーク構成装置２との間には、両装置を端点とするパス７が形成される。以下、パス７の広域ネットワーク構成装置１側の端を端点Ａ，広域ネットワーク構成装置２側の端を端点Ｂと呼ぶ。
【００１３】
パス７は、ＬＡＮの物理信号を透過的に中継可能な広域ネットワークのパスである。なお、パス７は、広域ネットワークが、たとえば、ＳＯＮＥＴ（Synchronous  Optical  NETwork：同期光伝送網）／ＳＤＨ（Synchronous  Digital  Hierarchy：同期デジタル・ハイアラーキ）にて規定される時分割多重技術を採用している場合は、ＳＯＮＥＴ／ＳＤＨのタイムスロットによって識別され、また、光信号を波長多重する波長多重技術を採用している場合は、波長によって識別される。本実施の形態の通信ネットワークは、広域ネットワークで上記のような技術のいずれが使用されるかには依存しない。なお、この広域ネットワークにおいては、ＩＥＴＦ  ＲＦＣ  ３２０９に規定されるシグナリングプロトコルＲＳＶＰ−ＴＥ（RSVP  Traffic  Engineering）によって、パスの設定および解放が行われる。
【００１４】
図２は、本実施の形態における広域ネットワーク構成装置の構成の一例を示すブロック図である。図２の広域ネットワーク構成装置は、加入者装置に接続されるＬＡＮ回線３０−Ｍ（Ｍ＝１，２，…）を収容するＬＡＮインタフェース収容部２０−Ｎ（Ｎ＝１，２，…）と、広域ネットワーク回線３１を収容する広域ネットワークインタフェース収容部２１と、ＬＡＮインタフェース収容部２０−Ｎおよび広域ネットワークインタフェース収容部２１を用いて、加入者装置と広域ネットワークとの間でパケットを中継する中継部２２と、装置全体を制御し、また、制御ネットワーク回線３２を収容する制御部２３と、を備える。ＬＡＮ回線３０−Ｍは、たとえばイーサネット（登録商標）回線である。制御ネットワーク回線３２は、シグナリングプロトコルによる制御データを他の広域ネットワーク構成装置に転送する回線である。また、制御部２３は、パスの設定や解放にあたり、ＬＡＮインタフェース収容部２０−Ｎ、広域ネットワークインタフェース収容部２１、中継部２２に対し、パケットを送受信するための設定情報の設定および削除を行う。
【００１５】
図３は、シグナリングプロトコルを拡張したフォーマットの一例を示す図である。図３のフォーマットは、複数の３２ビット長のフィールドにより表現され、ＬＡＮ属性（イーサネット（登録商標）属性情報）の転送に用いられる。このフォーマットは、情報全体の長さを示すObject  Length４０と、Class-Number４１と、C-Type４２と、Type４３と、Type４３以降のフィールド全体の長さを示すLength４４と、Reserved４５と、ＬＡＮ属性の値を格納するValue４６と、を備える。ここで、シグナリングプロトコルとしてはＲＦＣ  ３２０９により規定されるＲＳＶＰ−ＴＥを使用し、ＬＡＮ属性を格納するためにＲＦＣ  ４４２０によって規定されるＬＳＰ属性クラス（LSP＿ATTRIBUTES  object  class）を用いる。したがって、Class-Number４１には、ＬＳＰ（Label  Switched  Path）属性クラスを表す値として“１９７”がセットされる。また、C-Type４２には、ＬＡＮ属性を識別するために適宜定義された固有値がセットされる。また、Type４３には、フォーマットにセットされる情報が、ＬＡＮ属性に含まれる各情報のうちいずれの情報であるかを示すために適宜定義された、ＬＡＮ属性のクラスの固有値がセットされる。C-Type４２およびType４３の固有値は、どのように定義してもよい。たとえば、Type４３がＩＥＥＥ  ８０２．３ａｂに規定されるオートネゴシエーション属性のいずれかのクラスを示す場合は、オートネゴシエーションのファーストリンクパルスにより転送されるページ情報が、Value４６の先頭から、ページ情報の構成単位である１６ビットを単位として格納される。
【００１６】
つづいて、以上のように構成された通信ネットワークにおいて、パスの両端で、ＬＡＮ属性を整合させる動作について説明する。以下では、ＬＡＮ属性が、イーサネット（登録商標）属性であるとする。図４は、図１の通信ネットワークにおいて属性を整合させる動作を示すシーケンス図である。以下、当該動作のシーケンスを、手順（１）〜（４）に分けて説明する。
【００１７】
手順（１）
広域ネットワーク構成装置１のＬＡＮインタフェース収容部（ここでは、ＬＡＮインタフェース収容部２０−１とする）は、加入者装置３との間で、ファーストリンクパルスを用いてＬＡＮ属性を相互に通知するオートネゴシエーションを行い、その結果、たとえば、伝送速度を１Ｇ（ｂｉｔ／ｓ）としてＬＡＮ属性を整合させたとする（ステップＳ１）。同様に、広域ネットワーク構成装置２のＬＡＮインタフェース収容部は、加入者装置４との間でオートネゴシエーションを行い、その結果、たとえば、伝送速度を１００Ｍ（ｂｉｔ／ｓ）としてＬＡＮ属性を整合させたとする（ステップＳ２）。ここでは、手順（１）が完了した時点で、広域ネットワーク構成装置１と広域ネットワーク構成装置２とは伝送速度が不整合である。
【００１８】
手順（２）
広域ネットワーク構成装置１の制御部２３は、ステップＳ１の処理の後、ＲＳＶＰ−ＴＥシグナリングのＰＡＴＨメッセージに図３で説明したフォーマットを搭載し、制御ネットワーク回線３２を介して、パス端点Ａにおける伝送速度：１Ｇ（ｂｉｔ／ｓ）を含むＬＡＮ属性を広域ネットワーク構成装置２へ通知する（ステップＳ３）。同様に、広域ネットワーク構成装置２の制御部２３は、上記ＰＡＴＨメッセージへの応答であるＲＥＳＶメッセージに図３で説明したフォーマットを搭載し、制御ネットワーク回線３２を介して、パス端点Ｂにおける伝送速度：１００（Ｍｂｉｔ／ｓ）を含むＬＡＮ属性を、広域ネットワーク構成装置１へ通知する（ステップＳ４）。手順（２）により、パス７の両端において、広域ネットワーク構成装置１および２は、パス７の他端のＬＡＮ属性を通知される。
【００１９】
手順（３）
ここでは、パス両端のＬＡＮ属性は異なり、広域ネットワーク構成装置２によって通知される伝送速度の方が、広域ネットワーク構成装置１によって通知される伝送速度よりも下位である。したがって、広域ネットワーク構成装置１の制御部２３は、自装置の伝送速度を１００Ｍ（ｂｉｔ／ｓ）とし、広域ネットワークインタフェース収容部２１と、ＬＡＮインタフェース収容部２０−１に対して設定する。そして、広域ネットワーク構成装置１の制御部２３は、ＬＡＮインタフェース収容部２０−１を、加入者装置３との間で再度オートネゴシエーションを行うよう制御する（ステップＳ５）。加入者装置３は、伝送速度を１００Ｍ（ｂｉｔ／ｓ）に変更するので、パス７の両端でＬＡＮ属性が整合する。
【００２０】
手順（４）
つづいて、広域ネットワーク構成装置１の制御部２３は、上述同様、ＲＳＶＰ−ＴＥシグナリングのＰＡＴＨメッセージに図３で説明したフォーマットを搭載し、制御ネットワーク回線３２を介して、パス端点Ａにおける伝送速度１００Ｍ（ｂｉｔ／ｓ）を含むＬＡＮ属性を広域ネットワーク構成装置２へ通知する（ステップＳ６）。これを受けた広域ネットワーク構成装置２の制御部２３は、ＰＡＴＨメッセージへの応答であるＲＥＳＶメッセージに図３で説明したフォーマットを搭載し、制御ネットワーク回線３２を介して、パス端点Ｂにおける伝送速度１００Ｍ（ｂｉｔ／ｓ）を含むＬＡＮ属性を広域ネットワーク構成装置１へ通知する（ステップＳ７）。手順（４）により、パス７の両端において広域ネットワーク構成装置１および２は、パス７の他端のＬＡＮ属性を再度通知されるが、この場合、相手装置から通知されるＬＡＮ属性が自装置のＬＡＮ属性と整合しているため、各ネットワーク構成装置の制御部２３は、更なるオートネゴシエーションを起動しない。
【００２１】
以上説明したように、本実施の形態では、加入者装置と広域ネットワーク構成装置との間でＬＡＮ属性を整合させることに加えて、パス両端につながる広域ネットワーク構成装置同士の間で、シグナリングプロトコルにＬＡＮ属性を搭載して互いに通知し、その内容が異なった場合には整合させることとした。これにより、パスを介して接続される広域ネットワーク構成装置間で、ＬＡＮ属性の不整合に起因するパケットの滞留や廃棄といった問題が解消可能となる。また、通信ネットワーク上のリソースの利用効率を向上可能となる。すなわち、広域ネットワーク上に設定されたパスにおいて、円滑な通信を実行可能となる。
【００２２】
なお、本実施の形態では、パス両端の広域ネットワーク構成装置は、オートネゴシエーションにより得たＬＡＮ属性を整合させることとしたが、これに加えて、ＩＥＥＥ  ８０２．１ＡＢに規定されるＬＬＤＰによって加入者装置から通知されるＬＡＮ属性をも整合させることとしてもよい。この場合、上記実施の形態同様、広域ネットワーク構成装置の制御部２３は、シグナリングプロトコルのＰＡＴＨメッセージに、ＬＬＤＰにより得られたＬＡＮ属性を搭載して、制御ネットワーク回線３２を介してパス他端の広域ネットワーク構成装置へ通知する。この場合、図３のフォーマットでは、C-Type４２に上記と同じ値をセットし、また、Type４３に、ＬＬＤＰにより得られるＬＡＮ属性のクラスの固有値をセットする。ＬＡＮ属性を整合させるための動作は、図４と同様である。なお、オートネゴシエーションによるＬＡＮ属性の整合動作と、ＬＬＤＰによるＬＡＮ属性の整合動作は、まとめて行ってもいいし、別々に行ってもよい。
【００２３】
また、上記実施の形態のＬＡＮ属性に加えて、ＩＥＥＥ  ８０２．１に規定されるフレーム優先度に基づく優先制御を行うかどうかの属性をも、整合させてもよい。また、上記実施の形態のＬＡＮ属性に加えて、ＩＥＥＥ  ８０２．３ａｚにおいて標準化を検討している電力節約手順を使用可能かどうかの属性、および、使用可能である場合に、使用状態が通常電力および節約電力のいずれであるかの属性をも、整合させてもよい。いずれの場合も、ＬＡＮ属性を整合させるための動作は、図４と同様である。
【００２４】
実施の形態２．
実施の形態１では、広域ネットワーク構成装置間で自律的にＬＡＮ属性を整合させることとした。本実施の形態では、通信ネットワークが広域ネットワーク管理装置を備え、この広域ネットワーク管理装置が整合の制御を行う場合について説明する。
【００２５】
図５は、本実施の形態における通信ネットワークの構成例を示す図である。図５の通信ネットワークは、図１の構成に加えて、広域ネットワーク管理装置８をさらに備える。広域ネットワーク管理装置８は、たとえば、ＳＮＭＰ（Simple  Network  Management  Protocol）などのネットワーク管理プロトコルを用いて、広域ネットワーク構成装置１および２に対し、パスの設定または解放を指示する。また、図１の通信ネットワークと同様、広域ネットワーク構成装置１と、広域ネットワーク構成装置２との間には、両装置をそれぞれ端点Ａまたは端点Ｂとするパス７が形成されるとする。なお、本実施の形態の広域ネットワーク管理装置８は、制御ネットワーク回線３２を介して各ネットワーク構成装置と接続する。
【００２６】
つづいて、以上のように構成された通信ネットワークにおいて、パスの両端でＬＡＮ属性を整合させる動作について説明する。図６は、図５の通信ネットワークにおいてＬＡＮ属性を整合させる動作を示すシーケンス図である。以下、当該動作のシーケンスを、手順（１）〜（４ａ）に分けて説明する。手順（１）は実施の形態１と同様であるが、手順（２ａ）〜（４ａ）は、手順（２）〜（４）とは異なる。
【００２７】
手順（２ａ）
上述同様、ステップＳ１およびＳ２の処理（手順（１））が実行されると、広域ネットワーク構成装置１の制御部２３は、ＳＮＭＰのメッセージによって、パス端点Ａにおける伝送速度１Ｇ（ｂｉｔ／ｓ）を含むＬＡＮ属性を、制御ネットワーク回線３２を介して広域ネットワーク管理装置８へ通知する（ステップＳ１１）。同様に、広域ネットワーク構成装置２の制御部２３は、ＳＮＭＰのメッセージによって、パス端点Ｂにおける伝送速度１００Ｍ（ｂｉｔ／ｓ）を含むＬＡＮ属性を、制御ネットワーク回線３２を介して広域ネットワーク管理装置８へ通知する（ステップＳ１２）。
【００２８】
手順（３ａ）
広域ネットワーク管理装置８においては、パス７の両端の広域ネットワーク構成装置１および２から通知されたＬＡＮ属性を比較する。そして、不整合があると判断した場合には、より高位のＬＡＮ属性を通知した広域ネットワーク構成装置に対して、制御ネットワーク回線３２を介して、ＬＡＮ属性の再設定を指示する。ここでは、パス端点Ａにおける伝送速度１Ｇ（ｂｉｔ／ｓ）が、パス端点Ｂにおける伝送速度１００Ｍ（ｂｉｔ／ｓ）と不整合であるため、広域ネットワーク管理装置８は、伝送速度が高位である広域ネットワーク構成装置１に対して、通信Ｉ／Ｆ部５０を用いて、低位の伝送速度１００Ｍ（ｂｉｔ／ｓ）に整合させる旨の指示を、ＳＮＭＰのメッセージによって送信する（ステップＳ１３）。これを受けた広域ネットワーク構成装置１の制御部２３は、加入者装置３との間で、再度、ステップＳ１と同じオートネゴシエーションを起動するようＬＡＮインタフェース収容部２０−１を制御する（ステップＳ１４）。これにより、加入者装置３は、伝送速度を１００Ｍ（ｂｉｔ／ｓ）として広域ネットワーク構成装置１と整合させるため、パス７の両端においてＬＡＮ属性が整合する。
【００２９】
手順（４ａ）
つづいて、広域ネットワーク構成装置１の制御部２３は、ＳＮＭＰメッセージによって、パス端点Ａにおける伝送速度１００Ｍ（ｂｉｔ／ｓ）を含む再設定後のＬＡＮ属性を、制御ネットワーク回線３２を介して広域ネットワーク管理装置８へ通知する（ステップＳ１５）。広域ネットワーク管理装置８は、この通知を受けると、さらなるＬＡＮ属性の整合は不要であると判断し、ＬＡＮ属性の整合を指示しない。
【００３０】
図７は、本実施の形態の広域ネットワーク管理装置８の構成例を示す図である。広域ネットワーク管理装置８は、一般的な情報処理端末の機能を有しており、広域ネットワークとの間のインタフェースであって、制御ネットワーク回線３２を収容する通信Ｉ／Ｆ部５０と、広域ネットワーク構成装置間のＬＡＮ属性を整合させる制御部５１と、メモリなどで構成され、広域ネットワーク上に設定されるパスの情報や、各広域ネットワーク構成装置の情報などを記憶する記憶部５２とを備える。
【００３１】
図８は、広域ネットワーク管理装置８の動作を示すフローチャートである。広域ネットワーク管理装置８の通信Ｉ／Ｆ部５０は、パス７の両端の広域ネットワーク構成装置１および２の制御部２３から、パス端点ＡおよびＢにおけるＬＡＮ属性を受信する（ステップＳ２１）。つぎに、広域ネットワーク管理装置８の制御部５１は、パス７の両端のＬＡＮ属性を比較し、不整合があるかどうかを判断する（ステップＳ２２）。ＬＡＮ属性が整合していると判断した場合は（ステップＳ２２：Ｙｅｓ）、制御部５１は、図８の動作を終了する。一方、整合していないと判断した場合は（ステップＳ２２：Ｎｏ）、制御部５１は、通信Ｉ／Ｆ部５０を介して、より高位のＬＡＮ属性を通知した広域ネットワーク構成装置（ここでは、広域ネットワーク構成装置１）に対し、パス７の他端の広域ネットワーク構成装置（ここでは、広域ネットワーク構成装置２）から通知された、より低位のＬＡＮ属性に合わせて、ＬＡＮ属性を再設定する旨の指示を送信する（ステップＳ２３）。これを受けた広域ネットワーク構成装置１では、ＬＡＮ属性の再設定が行われる。その後、通信Ｉ／Ｆ部５０は、広域ネットワーク構成装置１の制御部２３から、再設定されたＬＡＮ属性を通知されると、この通知を制御部５１に出力する（ステップＳ２４）。この場合、制御部５１は、ステップＳ２２の処理に戻ってパス７の両端のＬＡＮ属性を再度比較し（ステップＳ２２）、不整合があるかどうかを判断する。
【００３２】
以上説明したように、本実施の形態では、広域ネットワーク構成装置の代わりに広域ネットワーク管理装置が、ＬＡＮ属性の整合性を維持する制御を行うこととした。これにより、各広域ネットワーク構成装置の属性情報を一元管理でき、効率のよい管理が実行可能である。
【産業上の利用可能性】
【００３３】
以上のように、本発明にかかるネットワーク構成装置は、広域ネットワークに有用であり、特に、広域ネットワーク上に設定するパスの両端でＬＡＮ属性を整合させる場合に適している。
【図面の簡単な説明】
【００３４】
【図１】実施の形態１における通信ネットワークの構成例を示す図である。
【図２】実施の形態１における広域ネットワーク構成装置の構成の一例を示すブロック図である。
【図３】シグナリングプロトコルを拡張したフォーマットの一例を示す図である。
【図４】図１の通信ネットワークにおいてＬＡＮ属性を整合させる動作を示すシーケンス図である。
【図５】実施の形態２における通信ネットワークの構成例を示す図である。
【図６】図５の通信ネットワークにおいてＬＡＮ属性を整合させる動作を示すシーケンス図である。
【図７】実施の形態２の広域ネットワーク管理装置の構成例を示す図である。
【図８】広域ネットワーク管理装置の動作を示すフローチャートである。
【符号の説明】
【００３５】
１，２  広域ネットワーク構成装置
３，４  加入者装置
５，６  ＬＡＮ回線
７  パス
８  広域ネットワーク管理装置
２０−Ｎ  ＬＡＮインタフェース収容部
２１  広域ネットワークインタフェース収容部
２２  中継部
２３  制御部
３０−Ｍ  ＬＡＮ回線
３１  広域ネットワーク回線
３２  制御ネットワーク回線
４０  Object  Length
４１  Class-Number
４２  C-Type
４３  Type
４４  Length
４５  Reserved
４６  Value
５０  通信Ｉ／Ｆ部
５１  制御部
５２  記憶部
【図１】
2010136008.tif 000003
【図２】
2010136008.tif 000004
【図３】
2010136008.tif 000005
【図４】
2010136008.tif 000006
【図５】
2010136008.tif 000007
【図６】
2010136008.tif 000008
【図７】
2010136008.tif 000009
【図８】
2010136008.tif 000010